(57)【要約】【課題】  新聞を読む際に新聞のバラつき、飛散を防止するために、複数束ねた棒状の串を、脚付きキャップに差し込み、脚付きキャップの脚の部分の復元性と、串の反発性から産まれる挟持力を活用した、新聞ホルダーを提供する。【解決手段】脚付きキャップに、複数の棒状の串を差し込み、その束ねた狭持力を利用し、新聞の飛散を防止するものであり、脚付きキャップという機能が、加わったことを、特徴とする新聞ホルダー。【選択図】図１
2017065236.tif 000002
【特許請求の範囲】
【請求項１】
脚付きキャップに、複数の棒状の串を差し込み、その束ねた狭持力を利用し、新聞の飛散を防止するものであり、脚付きキャップという機能が、加わったことを、特徴とする新聞ホルダー。
【発明の詳細な説明】
【技術分野】
【０００１】  本発明は、新聞を読む際に新聞のバラつき、飛散を防止するために、複数束ねた棒状の串を、脚付きキャップに差し込み、脚付きキャップの脚の部分の復元性と、串の反発性から産まれる挟持力を活用した、新聞ホルダーに関するものである。
【背景技術】
【０００２】  従来は、プラスチックを主材にし、その加工技術で新聞の飛散を防止する新聞ホルダーがある（特許文献参照）。
新聞の冊子を芯棒と、カバーという両機能で固定し、新聞の飛散を防止する新聞ホルダーがある（特許文献１参照）。
新聞の冊子を、棒状の串を束ねた挟持力を活用し、新聞の飛散を防止する新聞ホルダーがある（特許文献２参照）。
【先行技術文献】
【特許文献】
【０００３】
【特許文献１】  実用新案登録第３０６３３８６号公報
【特許文献２】  特願２０１５−１０７９３８
【発明の概要】
【発明が解決しようとする課題】
【０００４】（イ）従来の新聞ホルダーは（特許文献１）は、製品全体がプラスチックで作られており、原料代、金型の製作等、生産原価高になる問題点があった。
（ロ）従来の新聞ホルダー（特許文献２）は、基幹部と結束部という２の部品で、串の挟持力を発生させており、部品の生産過程が２通り必要であるという、生産原価高につながる問題点があった。
（ハ）同上の理由で従来の新聞ホルダー（特許文献２）は、組み立て工程が、基幹部と結束部の串への取り付けが、２工程となる問題点があった。
本発明は、これらの問題点を解決するために成されたものである。
【課題を解決するための手段】
【０００５】  本発明は、脚付きキャップに、複数の棒状の串を差し込み、その束ねた狭持力を利用し、新聞の飛散を防止するものであり、脚付きキャップという機能が、加わったことを、特徴とする新聞ホルダー。
【発明の効果】
【０００６】（イ）本発明品は、脚付きキャップ部分に、差し込まれた複数の串が、差し込まれた事により固定化され、脚付きキャップの脚の部分の復元性と、串自体の反発力で新聞を挟持するという、多目的効果を発揮し、２重３重で新聞の飛散を防止する。又複数の串それぞれがリードとガイドの併用機能がある。
（ロ）本発明品は、脚付きキャップの部分が、プラスチックの部材を主として使っているものであり、串の部分は自然材（竹、木）を採用しているため、新聞ホルダー全体をプラスチックで製品化する（特許文献１）のと比較しますと、プラスチック部分の短尺化を実現し、安価な原価につながる。
（ハ）本発明品は、生産過程に於けるプラスチックの金型は、脚付きキャップのみであり、複数の部品の金型（基幹部・結束部）を必要とするもの（特許文献２）と異なり、製品の生産の簡略化につながる。
（ニ）本発明品は、組み立て工程で、基幹部と、結束部の串への取り付けという組み立ての２工程を（特許文献２）、脚付きキャップへの、串の差し込みという１工程に、簡略化することが出来る。
【図面の簡単な説明】
【０００７】
【図１】  本発明の新聞ホルダーの斜視図である。
【図２】  本発明の脚付きキャップ部分の斜視拡大図である。
【図３】  本発明の正面図・背面図である。
【図４】  本発明の図３の断面図である。
【図５】  本発明の図４の脚付きキャップ部分の拡大図である。
【図６】  本発明の平面図・底面図である。
【図７】  本発明の左側面図である。
【図８】  本発明の図７の串を抜いた参考図である。
【図９】  本発明の右側面図である。
【図１０】  本発明の新聞を狭持している部分の参考図である。
【発明を実施するための形態】
【０００８】  以下、本発明の実施の形態を図１〜図１０に基づいて説明する。
【０００９】  図１は、脚付きキャップ（５）で、複数の棒状の串を束にし、串それぞれを、リード（１）とガイド（２）、ガイド（３）、ガイド（４）の両機能を持たせ、串の柔軟性と反発力で新聞（１０）を狭持できる形態である。
すなわち、脚付きキャップ（５）で、束ねられた複数の串（１）（２）（３）（４）は、それぞれが、リードとガイドの両機能を持っている構成である。
本発明を使用する時は、新聞の折り込口（９）に、リード（１）を差し込み、ガイド（２）、ガイド（３）、ガイド（４）に沿って、リード（１）をスライドさせ、脚付きキャップ（５）の脚の付け根まで（８）新聞（１０）を誘導し、串の挟持力にて、新聞（１０）のバラつき、飛散を防止することができる。
更に、脚付きキャップ（５）に、キャラクターグッズ（１１）を嵌め込み、キャラクター人形（たとえば、くまモン、ふなっしー等）の利用権利を保有している企業、または、役所がキャラクター付き新聞ホルダーをノベルティー商品、もしくは、商品として市場に販路を広げられることを特徴とする、新聞ホルダーである。
【００１０】  図２は、図１の脚付きキャップ（５）の部分拡大図であり、串を抜いた状態なので、脚付きキャップ（５）の脚部（６）が四脚であること、又、四脚の脚で、串を束ねられる構造が分かる。
【００１１】  図３は、本発明の正面図であり複数の串（１）（２）（３）（４）と脚付きキャップ（５）とキャラクターグッズ（１１）の位置関係が分かる。
【００１２】  図４は、図３の断面図であり、複数の串が（１）（２）（３）（４）脚付きキャップ（５）により、ホールドされてる状態が分かる。
【００１３】  図５は、図４の脚付きキャップ（５）の拡大図であり、脚付きキャップ（５）の内部構造が図示されている。この図からは、脚付きキャップの脚先端部（７）と、脚の付け根（８）の２か所で、串がホールドされている構造が分かる。
【００１４】  図６は、本発明の平面図であり、脚付きキャップ（５）の各部所（６）（７）（８）と複数の串（１）（２）（３）（４）とキャラクターグッズ（１１）の位置関係が分かる。
【００１５】  図７は、本発明の左側面図あり、脚付きキャップ（５）の脚先端部（７）で、串を挟持する構造が分かる。
【００１６】  図８は、本発明の左側面図から、複数の串（１）（２）（３）（４）を抜いた図であり、脚付きキャップ（５）の脚先端部（７）の配置関係が分かる。
【００１７】  図９は、本発明の右側面図であり、脚付きキャップ（５）とキャラクターグッズ（１１）の位置関係が分かる。
【００１８】  図１０は、本発明が新聞（１０）を挟持している図であり、新聞折り込み口（９）からはリード（１）が差し込まれているが、当図では新聞の冊子の裏にあるので、表示されていない。
【符号の説明】
【００１９】１  リード
２  ガイド
３  ガイド
４  ガイド
５  脚付きキャップ
６  脚部
７  脚先端部
８  脚の付け根
９  新聞折り込み口
１０  新聞
１１  キャラクターグッズ
【図１】
2017065236.tif 000003
【図２】
2017065236.tif 000004
【図３】
2017065236.tif 000005
【図４】
2017065236.tif 000006
【図５】
2017065236.tif 000007
【図６】
2017065236.tif 000008
【図７】
2017065236.tif 000009
【図８】
2017065236.tif 000010
【図９】
2017065236.tif 000011
【図１０】
2017065236.tif 000012